(57)【要約】【課題】クリーニング中の衣類のファスナーのスライダーおよび引手の損傷、脱落を防ぎ、またクリーニング中に脱落しにくく、さらに一体成型によりコストを低減できるクリーニング用ファスナー保護具を提供する。【解決手段】ファスナーのスライダーの裏面側に位置させる裏面挟持板部２と、裏面挟持板部２の端部とヒンジ部４により開閉可能に連結され、ファスナーのスライダーの表面および引手側に位置させる表面挟持板部３と、ヒンジ部４近傍において、裏面挟持板部２からほぼ垂直に連設され、上端部にフック部５ａを有するロック片５と、表面挟持板部３に形成され、裏面挟持板部２と表面挟持板部３とをヒンジ部４を支点として閉じたときにロック片５のフック部５ａと係合する係合部６と、裏面挟持板部２の中途部に基端部が連設されたファスナー裏面押圧片７とを備え、全体が弾性を有する熱可塑性合成樹脂で一体成型されたクリーニング用ファスナー保護具。【選択図】  図１
2007061433.tif 000002
【特許請求の範囲】
【請求項１】
ファスナーのスライダーの裏面側に位置させる裏面挟持板部と、
前記裏面挟持板部の端部とヒンジ部により開閉可能に連結され、前記ファスナーのスライダーの表面および引手側に位置させる表面挟持板部と、
前記ヒンジ部近傍において、前記裏面挟持板部または表面挟持板部の一方からほぼ垂直に連設され、上端部にフック部を有するロック片と、
前記裏面挟持板部または表面挟持板部の他方に形成され、前記裏面挟持板部と表面挟持板部とを前記ヒンジ部を支点として閉じたときに前記ロック片のフック部と係合する係合部と、
前記裏面挟持板部の中途部に基端部が連設されたファスナー裏面押圧片と
を備え、全体が弾性を有する熱可塑性合成樹脂で一体成型されたクリーニング用ファスナー保護具。
【請求項２】
前記ファスナー裏面押圧片におけるファスナー裏面との当接部には滑り止めの凹凸が形成されている請求項１記載のクリーニング用ファスナー保護具。
【請求項３】
前記表面挟持板部には、前記ファスナーのスライダーおよび引手の側部を覆う側壁が形成されている請求項１または２に記載のクリーニング用ファスナー保護具。
【発明の詳細な説明】
【技術分野】
【０００１】
本発明は、ドライクリーニングや水洗い、乾燥時に、ズボンやスカート、ジャンパーなどの衣類に縫い付けられているファスナー（スライドファスナー）の損傷を防ぐために用いられるクリーニング用ファスナー保護具に関する。
【背景技術】
【０００２】
衣類に縫い付けられているファスナーは、二本の布製のテープの内側にそれぞれ多数のエレメントが配列され、スライダーを通過させることにより、左右のエレメントを交互に咬み合わせたり分離させたりし、それにより、衣類の開口部を閉じたり開けたりする用具である。
【０００３】
ファスナーのスライダーには、開閉するときに手でつかみやすいように、引手が回動自在に設けられており、操作するときには引手を起こし、通常時は倒して突出しないようにしている。
【０００４】
このようなファスナーが縫い付けられている衣類を、タンブラー（回転ドラム）内でドライクリーニング、水洗い、乾燥するときに、ファスナーの引手がスライダーに対して自由に動くため、引手がタンブラーと激突したり、タンブラーの周壁に設けられている穴に入り込んだりして、損傷、破壊、脱落することがある。衣類によっては、スライダーおよび引手の部分に塗料が付いているものもあり、また、飾りが付いているものもある。それらが損傷した場合、修理したり、メーカーから新品を取り寄せて交換したりする必要があり、それができない場合、クリーニング店が客に弁償しなければならないこともある。
【０００５】
これらの対策としては、ファスナーが付いている衣類をネットに入れてクリーニングを行う方法があるが、洗い、乾燥の効率が低下し、余分なシワが入るおそれがある。
【０００６】
ファスナーの引手が表に出ないように衣類を裏返しにしてクリーニングする方法もあるが、作業が面倒であり、引手の保護も不十分である。また、衣類を裏返すことにより表側が内側になるので、表側の面に付着した汚れ落ちも悪くなり、クリーニングの品質に悪影響を及ぼす。
【０００７】
ファスナーの引手がクリーニング中に動かないように、糸で縫い付ける方法があるが、作業が面倒であるし、クリーニング後に糸を切る手間も掛かる。
【０００８】
引手の回りを布やアルミ箔で被せる方法もあるが、作業が面倒であるし、タンブラー内で外れることがあり、また布やアルミ箔で覆った部分の洗浄が不十分になるおそれもある。
【０００９】
クリーニング前に、ファスナーのスライダーから引手を外しておく方法もあるが、紛失したり、外す際に壊したりするおそれがある。
【００１０】
クリーニング中に、衣類に取り付けられているボタンを保護する器材として、例えば特許文献１〜３に記載されたものがある。
【００１１】
また、特許文献４には、毛布を洗濯機で洗えるように、毛布を複数に分割してそれぞれをファスナーで結合し、一体化したり分割したりできるようにした毛布が開示されており、洗濯の際に、ファスナーのスライダーが洗濯槽の内側に当たって壊れないように、ファスナーカバーを取り付けることが記載されている。
【００１２】
特許文献５には、履物や衣類等の開閉部を開閉するファスナーの端部において、スライダーと引手を表裏両面側から挟持可能な１対の挟持部と、これら挟持部を開閉可能にするブラケットと、表側の挟持部をカバーするカバー部を有するファスナーカバーが開示されている。
【００１３】
【特許文献１】特開平１０−２３４４２７号公報
【特許文献２】実用新案登録第３０５０４７３号公報
【特許文献３】特開平１１−２７６７６９号公報
【特許文献４】特開２００２−１４２９４２号公報
【特許文献５】実用新案登録第３０８８１１２号公報
【発明の開示】
【発明が解決しようとする課題】
【００１４】
上記の特許文献１〜３に開示されたボタン保護器材は、いずれもボタンを裏表から包み込むような構成であるので、ファスナーのスライダーおよび引手に適用することはできない。
【００１５】
特許文献４に開示されたファスナーカバーでは、分割したファスナーのスライダーと引手を片側からファスナーカバーで覆う構成であるので、１対のファスナーを閉じた状態の衣類のスライダーと引手をカバーすることはできない。
【００１６】
特許文献５に開示されたファスナーカバーは、針金状の部材を枠状に折り曲げた表側の挟持部と、合成樹脂製のカバー部とが接着剤等で固着されており、また表側の挟持部の基端を開閉可能に連結する金属製のブラケットを有しているので、部品点数が多く、また組み立てや接着が必要で、コストが嵩むという問題がある。また、このファスナーカバーは、把持力のみでファスナー端部に取り付けられるので、外力が作用すると簡単に外れてしまうという問題がある。
【００１７】
そこで本発明は、クリーニング中の衣類のファスナーのスライダーおよび引手の損傷、脱落を防ぎ、またクリーニング中に脱落しにくく、さらに一体成型によりコストを低減できるクリーニング用ファスナー保護具を提供することを目的とする。
【課題を解決するための手段】
【００１８】
前記課題を解決するため、本発明のクリーニング用ファスナー保護具は、ファスナーのスライダーの裏面側に位置させる裏面挟持板部と、前記裏面挟持板部の端部とヒンジ部により開閉可能に連結され、前記ファスナーのスライダーの表面および引手側に位置させる表面挟持板部と、前記ヒンジ部近傍において、前記裏面挟持板部または表面挟持板部の一方からほぼ垂直に連設され、上端部にフック部を有するロック片と、前記裏面挟持板部または表面挟持板部の他方に形成され、前記裏面挟持板部と表面挟持板部とを前記ヒンジ部を支点として閉じたときに前記ロック片のフック部と係合する係合部と、前記裏面挟持板部の中途部に基端部が連設されたファスナー裏面押圧片とを備え、全体が弾性を有する熱可塑性合成樹脂で一体成型された構成としている。
【００１９】
本発明においては、クリーニングの前に、衣類のファスナーを閉じた状態とし、ファスナー端部にあるスライダーの引手は倒した状態としてクリーニング用ファスナー保護具を取り付ける。ロック片と係合部は分離した状態で裏面挟持板部と表面挟持板部とを開き、裏面挟持板部はスライダーの引手がある方とは反対側の裏側に位置するように、表面挟持板部はスライダーの引手がある方に位置するようにして、裏面挟持板部と表面挟持板部とを、ヒンジ部を支点として閉じていく。ある程度閉じていくと、裏面挟持板部または表面挟持板部の一方に形成されたヒンジ部近傍に設けられたロック片が表面挟持板部の係合部に近づき、完全に閉じた状態で、ロック片のフック部が裏面挟持板部または表面挟持板部の他方に形成された係合部に係合し、閉じた状態が保持される。この状態では、ファスナーのスライダーおよび引手の上下が裏面挟持板部と表面挟持板部で覆われることになり、またファスナー裏面押圧片がファスナーの裏面を表面挟持板部側に押圧しているので、スライダーおよび引手は、自由な動きが規制され、不動状態に保持されることになる。
【００２０】
この状態で衣類をタンブラー内で回転させ、クリーニングを行うと、スライダーおよび引手はタンブラーの内面に直接衝突することはなく、また引手がタンブラー周壁の穴に入り込むこともない。これにより、クリーニング中の衣類のファスナーのスライダーおよび引手の損傷、脱落を防ぐことができる。また、ロック片のフック部が係合部に係合しているので、クリーニング中に本クリーニング用ファスナー保護具が脱落しにくい。また、全体が熱可塑性合成樹脂で一体成型されているので、従来のように複数の部材を準備することも、組み立てることも必要がないため、コストを低減できる。
【００２１】
クリーニング、乾燥終了後は、ロック片と係合部との係合を手で解くことにより、裏面挟持板部と表面挟持板部がヒンジ部を支点として開くので、簡単に取り外すことができる。
【００２２】
前記ファスナー裏面押圧片におけるファスナー裏面との当接部に、滑り止めの凹凸を形成することにより、その凹凸がファスナーのエレメントの凹凸に噛み込むので、クリーニング中のクリーニング用ファスナー保護具のずれや動きをさらに規制することができる。
【００２３】
前記表面挟持板部に、ファスナーのスライダーおよび引手の側部を覆う側壁を形成することにより、その側壁がスライダーの側部の動きを規制し、衝撃などでスライダーおよび引手がクリーニング用ファスナー保護具から逃げることを規制することができる。
【発明の効果】
【００２４】
本発明によれば、ファスナーのスライダーの裏面側に位置させる裏面挟持板部と、前記裏面挟持板部の端部とヒンジ部により開閉可能に連結され、前記ファスナーのスライダーの表面および引手側に位置させる表面挟持板部と、前記ヒンジ部近傍において、前記裏面挟持板部または表面挟持板部の一方からほぼ垂直に連設され、上端部にフック部を有するロック片と、前記裏面挟持板部または表面挟持板部の他方に形成され、前記裏面挟持板部と表面挟持板部とを前記ヒンジ部を支点として閉じたときに前記ロック片のフック部と係合する係合部と、前記裏面挟持板部の中途部に基端部が連設されたファスナー裏面押圧片とを備え、全体が弾性を有する熱可塑性合成樹脂で一体成型された構成としたことにより、クリーニング中の衣類のファスナーのスライダーおよび引手の損傷、脱落を防ぎ、またクリーニング中に脱落しにくく、さらに一体成型によりコストを低減することができる。
【発明を実施するための最良の形態】
【００２５】
以下、本発明の実施の形態を、図面を用いて説明する。
図１は本実施の形態１に係るクリーニング用ファスナー保護具の斜視図、図２はその平面図、図３は図２のＡ−Ａ線断面図、図４は閉じた状態の断面図である。
【００２６】
図１〜図４において、本実施の形態１に係るクリーニング用ファスナー保護具１は、裏面挟持板部２と、この裏面挟持板部２の端部とヒンジ部４により開閉可能に連結された表面挟持板部３と、ヒンジ部４近傍において、裏面挟持板部２からほぼ垂直に連設され、上端部にフック部５ａを有するロック片５と、表面挟持板部３に形成され、裏面挟持板部２と表面挟持板部３とをヒンジ部４を支点として閉じたときにロック片５のフック部５ａと係合する係合部６と、裏面挟持板部２の中途部に基端部が連設されたファスナー裏面押圧片７とを備えており、全体が弾性を有する熱可塑性合成樹脂で一体成型されている。
【００２７】
裏面挟持板部２の幅方向の両側にはファスナーのずれ止めと補強リブを兼ねた側壁２ａが形成されており、また表面挟持板部３の幅方向の両側にもファスナーのずれ止めと補強リブを兼ねた側壁３ａが形成されている。ヒンジ部４を基準として、裏面挟持板部２の長さの方が表面挟持板部３の長さよりも若干長くなっており、裏面挟持板部２の先端にはやや上向きに曲がった下あご部２ｂが、表面挟持板部３の先端にはやや上向きに曲がった上あご部３ｂがそれぞれ形成されている。これらの下あご部２ｂと上あご部３ｂには、滑り止めのための凹凸が形成されている。
【００２８】
ファスナー裏面押圧片７の幅方向の両側には側壁７ａが形成されており、この側壁７ａの上面および中間部７ｂの上面には、滑り止めのための凹凸が形成されている。
【００２９】
本実施の形態１に係るクリーニング用ファスナー保護具１全体は、ポリエチレン，ポリプロピレン，ポリスチレン，フッ素樹脂，ポリエステル樹脂等の弾性を有する熱可塑性合成樹脂を一体成型して造られる。生分解性プラスチックを用いることもできる。
【００３０】
次に、本実施の形態１に係るクリーニング用ファスナー保護具１の使用方法について図５〜図８を用いて説明する。図５はファスナーのスライダーの例を示す斜視図、図６は本実施の形態１のクリーニング用ファスナー保護具を取り付けた状態の斜視図、図７は本実施の形態１のクリーニング用ファスナー保護具を取り付けた状態の断面図、図８は本実施の形態１のファスナー裏面押圧片の機能を示すもので、（ａ）は断面図、（ｂ）は底面図である。
【００３１】
図５に示すように、衣類に縫い付けられるファスナー１０は、一般的には、一対のテープ１１と、各テープの端部に設けられるエレメント１２と、スライダー１３と、引手１４と、エレメント１２の端部に設けられる上止１５とからなる。本実施の形態のクリーニング用ファスナー保護具１を用いるときは、ヒンジ部４が衣類から突出しないように、スライダー１３を上止１５から少し後退した位置で止めるとよい。
【００３２】
この状態で、クリーニング用ファスナー保護具１のロック片５のフック部５ａと係合部６を分離して裏面挟持板部２と表面挟持板部３とを開き、裏面挟持板部２はスライダー１３の引手１４がある方とは反対側の裏側に位置するように、表面挟持板部３はスライダー１３の引手１４がある方に位置するようにして、裏面挟持板部２と表面挟持板部３とを、ヒンジ部４を支点として閉じていく。ある程度閉じていくと、裏面挟持板部２のロック片５が表面挟持板部３の係合部６に近づき、完全に閉じた状態で、ロック片５のフック部５ａが係合部６に係合し、閉じた状態が保持される。
【００３３】
この状態では、図６および図７に示すように、ファスナー１０のスライダー１３および引手１４の上下が裏面挟持板部２と表面挟持板部３で覆われることになる。さらに、図８に示すように、ファスナー裏面押圧片７の先端は、スライダー１３の裏面に重ならない長さに設定されているため、ファスナー裏面押圧片７はエレメント１２の裏面を表面挟持板部３側に押圧することになり、このとき、引手１４は表面挟持板部３の下面とエレメント１２の上面とで挟まれるので、引手１４の動きが規制され、引手１４が傷つくことがない。また、クリーニング用ファスナー保護具１が外力でファスナー１０の長手方向に移動しようとしても、図中Ｃ方向へはスライダー１３がロック片５に当たるためそれ以上の動きが規制され、Ｂ方向へはスライダー１３がファスナー裏面押圧片７の頭部に当たるため、それ以上の動きが規制される。以上の構成により、スライダー１３および引手１４は、クリーニング用ファスナー保護具１を取り付けることにより、自由な動きが規制され、不動状態に保持されることになる。
【００３４】
さらに、ファスナー裏面押圧片７におけるファスナー裏面との当接部に、滑り止めの凹凸が形成されているため、その凹凸がファスナー１０のエレメント１２の凹凸に噛み込むので、クリーニング中のクリーニング用ファスナー保護具１のずれや動きを規制することができる。
【００３５】
また、表面挟持板部３に、ファスナー１０のスライダー１３および引手１４の側部を覆う側壁３ａが形成されているので、その側壁３ａがスライダー１３の側部の動きを規制し、衝撃などでスライダー１３および引手１４がクリーニング用ファスナー保護具１から逃げることを規制することができる。
【００３６】
また、図７に示すように、クリーニング用ファスナー保護具１を閉じたとき、裏面挟持板部２の下あご部２ｂと表面挟持板部３の上あご部３ｂの位置がずれているので、ファスナー１０のテープ１１やエレメント１２が曲げられた状態となり、クリーニング用ファスナー保護具１がファスナー１０の長手方向に移動することを抑制することができる。
【００３７】
この状態で衣類をタンブラー内で回転させ、クリーニングを行うと、スライダー１３および引手１４はタンブラー１３の内面に直接衝突することはなく、また引手１４がタンブラー周壁の穴に入り込むこともない。これにより、クリーニング中の衣類のファスナー１０のスライダー１３および引手１４の損傷、脱落を防ぐことができる。また、ロック片５のフック部５ａが係合部６に係合しているので、クリーニング中にクリーニング用ファスナー保護具１が脱落しにくい。
【００３８】
クリーニング、乾燥終了後は、ロック片５の先端を係合部６とは反対側に押し込むことにより、ロック片５のフック部５ａと係合部６との係合を解くことができ、これにより、裏面挟持板部２と表面挟持板部３がヒンジ部４を支点として開くので、簡単に取り外すことができる。
【００３９】
図９は本発明の実施の形態２に係るクリーニング用ファスナー保護具を閉じた状態の断面図である。上記の実施の形態１におけるロック片５は裏面挟持板部２に連設され、また係合部６は表面挟持板部３に設けられているのに対し、本実施の形態２においては、ロック片２１は表面挟持板部３から下方にほぼ垂直に連設され、その先端にフック部２１ａが設けられ、また係合部２２は裏面挟持板部２側に設けられている。また、側壁２ａ間の補強として、リブ部２３が設けられている。
【００４０】
実施の形態１においては、衣類への装着時に、ロック片５の先端が外側に露出するので、それがタンブラーに当たって、係合部６との係合が外れる可能性がある。クリーニング後にロックを外しやすくするには、ロック片５の指の掛かりを大きくしたいが、そうすると突出長さが長くなり、タンブラーに当たって外れやすくなったり、他の服を引っ掛けたりするおそれがある。
【００４１】
そこで、本実施の形態２のように、ロック片２１の先端のフック部２１ａと係合部２２を裏面挟持板部２側に位置させる構成とすることにより、衣類のファスナーへの装着時に、ロック片２１の先端は衣類の内側になり、タンブラーや他の衣類に当たることがないため、クリーニング中の衣類からの離脱や他の衣類を引っ掛けることがなくなる。
【００４２】
この実施の形態２のその他の作用効果については、実施の形態１と同様であるので、説明を省略する。
【産業上の利用可能性】
【００４３】
本発明は、クリーニング中の衣類のファスナーのスライダーおよび引手の損傷、脱落を防ぎ、またクリーニング中に脱落しにくく、さらに一体成型によりコストを低減できるクリーニング用ファスナー保護具として、クリーニングの分野において利用することができる。
【図面の簡単な説明】
【００４４】
【図１】本実施の形態１に係るクリーニング用ファスナー保護具の斜視図である。
【図２】本実施の形態１に係るクリーニング用ファスナー保護具の平面図である。
【図３】図２のＡ−Ａ線断面図である。
【図４】本実施の形態１に係るクリーニング用ファスナー保護具を閉じた状態の断面図である。
【図５】ファスナーのスライダーの例を示す斜視図である。
【図６】本実施の形態１のクリーニング用ファスナー保護具を取り付けた状態の斜視図である。
【図７】本実施の形態１のクリーニング用ファスナー保護具を取り付けた状態の断面図である。
【図８】本実施の形態１のファスナー裏面押圧片の機能を示すもので、（ａ）は断面図、（ｂ）は底面図である。
【図９】本実施の形態２に係るクリーニング用ファスナー保護具を閉じた状態の断面図である。
【符号の説明】
【００４５】
１  クリーニング用ファスナー保護具
２  裏面挟持板部
２ａ  側壁
２ｂ  下あご部
３  表面挟持板部
３ａ  側壁
３ｂ  上あご部
４  ヒンジ部
５  ロック片
５ａ  フック部
６  係合部
７  ファスナー裏面押圧片
７ａ  側壁
７ｂ  中間部
１０  ファスナー
１１  テープ
１２  エレメント
１３  スライダー
１４  引手
１５  上止
２１  ロック片
２１ａ  フック部
２２  係合部
２３  リブ部
【図１】
2007061433.tif 000003
【図２】
2007061433.tif 000004
【図３】
2007061433.tif 000005
【図４】
2007061433.tif 000006
【図５】
2007061433.tif 000007
【図６】
2007061433.tif 000008
【図７】
2007061433.tif 000009
【図８】
2007061433.tif 000010
【図９】
2007061433.tif 000011